(57)【要約】【課題】シースチューブ内部を目視して内部の状態を確認することができるシースイントロデューサを提供する。【解決手段】カテーテルをガイドして血管内に導入するためのシース５であって、該シース５は透明部４とＸ線不透過性の造影部６からなる。これにより、シースが透明部を含んで構成されるので、シース内部を外側から目視して確認することができ、作業中のシース内への血液の逆流や血栓の発生の有無等を確実に認知することができる。また、シースの一部はＸ線不透過性の造影材料で形成されるので、Ｘ線を用いたシースの位置の確認も行うことができる。【選択図】        図２
2004229812.tif 000002
【特許請求の範囲】
【請求項１】
カテーテルをガイドして血管内に導入するためのシースであって、
該シースは透明部とＸ線不透過性の造影部からなることを特徴とするシースイントロデューサ。
【請求項２】
前記造影部は、前記シースの長手方向にストライプ状に設けられたことを特徴とする請求項１に記載のシースイントロデューサ。
【請求項３】
前記造影部は、前記シースの先端に設けられたことを特徴とする請求項１に記載のシースイントロデューサ。
【発明の詳細な説明】
【０００１】
【発明の属する技術分野】
本発明は、例えばカテーテルを血管等の体内に導入するために用いられるシースイントロデューサに関するものである。
【０００２】
【従来の技術】
血管の造影剤や塞栓剤等をカテーテルによって血管等の体内に導入する場合、まずメスにより身体の一部分を切開し、そこに穿刺針を差し込む。穿刺針は中空である内針と、これを挿入した外針とからなる。穿刺針を体内に差し込む際は一度血管を貫き、この後穿刺針を戻して先端が血管内にくるようにする。これは血液が穿刺針の先端から内針の中空部を通るフラッシュバックが生じることで判断される。すなわち、フラッシュバックが生じたら穿刺針の先端が血管内にあるということになる。この後内針を外針から取外す。次に、ガイドワイヤを外針内を通して血管内に挿入する。この後、外針を取外す。
【０００３】
次に、ガイドワイヤに沿ってイントロデューサを体内に挿入する。このイントロデューサはシースイントロデューサ（外管）とその端部のシースハブからなるシース部に対し、ダイレーター（内管）とその端部のダイレーターハブからなるダイレーター部を取り付けて構成される。イントロデューサを体内に挿入した後ガイドワイヤを取外す。さらに、ダイレーター部をシース部から取外す。この後、シースイントロデューサ（シース）を介してカテーテルによる処置が行われる。
【０００４】
カテーテルはシースのシースチューブに挿通され、体内に挿入される。このカテーテルによる処置中のシースの位置（血管のどの部分まで挿入されているか）の検知はＸ線によるレントゲンを用いて行うため、シースチューブは、Ｘ線不透過性の造影材料で形成されていた。また、造影材料で形成することにより、シースチューブがもし破断して体内に混入してもレントゲンによる検知が可能であるため、回収することができる。
【０００５】
しかし、シースチューブを造影材料で形成すると外側からシースチューブ内部を肉眼で見ることができないので、血管内にシースを導入したときにシースチューブ内への血液の逆流を目視することができず、血管への挿入が確実であることを確認することができず、また、シースチューブ内の血栓の発生の有無の確認ができなかった。さらに、シースからカテーテルを抜去したときのシースチューブ内の洗浄において、確実にチューブ内が洗浄されてるかを確認することができなかった。
【０００６】
このようなシースイントロデューサが特許文献１に記載されている。この特許文献１に記載の医療用シースは、先端部に複数の側穴を形成し、血流の確保を向上させるものである。しかしながらこの医療用シースはチューブ内部を目視できることを目的として構成されたものではなく、チューブの透明性に言及するものではない。
【０００７】
【特許文献１】
特開平１１−３４７１３０
【０００８】
【発明が解決しようとする課題】
本発明は、上記従来技術を考慮したものであって、シースチューブ内部を目視して内部の状態を確認することができるシースイントロデューサの提供を目的とする。
【０００９】
【課題を解決するための手段】
前記目的を達成するため、本発明では、カテーテルをガイドして血管内に導入するためのシースであって、該シースは透明部とＸ線不透過性の造影部からなることを特徴とするシースイントロデューサを提供する。
【００１０】
この構成によれば、シースが透明部を含んで構成されるので、シース内部を外側から目視して確認することができ、作業中のシース内への血液の逆流や血栓の発生の有無等を確実に認知することができる。また、シースの一部はＸ線不透過性の造影材料で形成されるので、Ｘ線を用いたシースの位置の確認も行うことができる。
【００１１】
好ましい構成例においては、前記造影部は、前記シースの長手方向にストライプ状に設けられたことを特徴としている。
【００１２】
この構成によれば、シース全長にわたってストライプ状に造影部が形成されるため、シース内の確認とＸ線によるシースの位置の確認がし易くなり、作業性が向上する。
【００１３】
別の好ましい構成例においては、前記造影部は、前記シースの先端に設けられたことを特徴としている。
【００１４】
この構成によれば、特に破断しやすいシース先端部分に造影部を形成するので、シースが破断して体内に混入した際のレントゲン等のＸ線による検知が可能となり回収が容易となる。
【００１５】
【発明の実施の形態】
以下図面を参照して本発明の実施の形態について説明する。
図１は本発明に係るシースイントロデューサの概略図である。
シースイントロデューサ（シース）１はシースチューブ５とシースハブ７で構成される。シース１の体内への挿入方法は従来と同様である。すなわち、シースとダイレーターとを血管内に挿入し、ダイレーターを抜取り、シースのみを血管内に留置する。その後、体内の血管に挿入されたシースチューブ５をガイドとしてカテーテル２を挿入する。このカテーテル２に造影剤その他種々の薬品等を流入して体内に移送し、処置を施す。
【００１６】
カテーテル２はシースハブ７の後端部に備わる開口１４からシース１内へ挿入されシースを挿通する。このカテーテル２の挿通動作に伴う血液の漏れを防止するため、シースハブ７内に止血弁１５が備わる。
【００１７】
シースハブ７には側注管３が取付けられ、図示しない三方活栓に連結される。カテーテル２による処置が終了した後、カテーテル２をシース１から抜去する。このとき、シースチューブ内に流入する血液を追い出すため、三方活栓を開いて側注管３からシース１内に生理的食塩水を注入し、洗浄する。
【００１８】
図２は本発明に係るシースチューブの断面図である。
シースチューブ５は透明の樹脂等からなる透明部４およびこれに埋設されるＸ線不透過性の材料で形成した造影部６からなる。造影部６はシースチューブ５の長手方向に、例えば全長にわたってストライプ状（図では３本）となるよう形成される。このようにシースチューブ５を透明部４と造影部６で構成することにより、シースチューブ５の内部を肉眼で観察することができる。
【００１９】
したがって、血管内にシース１を導入したときにシースチューブ５内への血液の逆流を目視することができ、血管への挿入が確実であることを確認することができる。また、シースチューブ５内で血液の固まりが発生した場合の血栓の有無の確認ができる。さらに、上述したシース１からカテーテル２を抜去したときのシースチューブ５内の生理的食塩水による洗浄において、チューブ５内から血液が追い出され、洗浄されているかを確認することができる。
【００２０】
また、シースチューブ５が体内のどの位置まで挿入されているかの位置もＸ線で検知することができ、シースチューブ５が破断して体内に混入してもＸ線で検知することにより回収できる。
【００２１】
また、施術者の作業性の向上のために開発された先端がボール形状の血流誘導型カテーテルをシースチューブ５内に挿入する際にも、ボール部分の変形具合を確認しながら挿入することができるので、ボールの破損を防止できる。
【００２２】
なお、造影部６はシースチューブ５の外側あるいは内側に塗布したり貼り付けて設けてもよい。
【００２３】
図３は本発明に係る別のシースチューブの側断面図である。
（Ａ）に示すように、シースチューブ５の先端部分のみに造影部６を設け、他の部分は透明部４で形成する。これによりシースチューブ５の内部の視認性がさらに向上する。また、先端部分を造影部６で形成することにより、シースチューブ５の体内の侵入位置（血管のどの部分まで挿入されているか）を検知することができる。また、シースチューブ５は先端が薄く形成されるので、あるいは軟らかい別部材のチップを接合するので、特に破断しやすい。本発明はこの先端部分を造影部６で形成するので、破断したシースチューブ５の一部が体内に混入したとしてもＸ線等を用いて容易に検知可能となる。その他の作用効果は図２の例と同様である。
【００２４】
（Ｂ）に示すように、シースチューブ５の先端にプラチナ等のＸ線不透過性の造影材料からなるリング８を装着してもよい。その他の作用効果は（Ａ）と同様である。
【００２５】
【発明の効果】
以上説明したように、本発明では、シースが透明部を含んで構成されるので、シース内部を外側から目視して確認することができ、作業中のシース内への血液の逆流や血栓の発生の有無等を確実に認知することができる。また、シースの一部はＸ線不透過性の造影部で形成されるので、Ｘ線を用いたシースの位置の確認も行うことができる。
【図面の簡単な説明】
【図１】本発明に係るシースイントロデューサの概略図。
【図２】本発明に係るシースチューブの断面図。
【図３】本発明に係る別のシースチューブの側断面図。
【符号の説明】
１：シースイントロデューサ、２：カテーテル、３：側注管、
４：透明部、５：シースチューブ、６：造影部、７：シースハブ、
８：リング、１４開口、１５：止血弁。
【図１】
2004229812.tif 000003
【図２】
2004229812.tif 000004
【図３】
2004229812.tif 000005